(57)【要約】  基礎、柱礎、及び一般建築要素を造るための使い捨て構造体であって、コンクリートを受け入れるための少なくとも一つの閉じ込め要素（１４）内に配置された鉄筋（１２，１３）が設けられ、少なくとも一つの閉じ込め要素（１４）は、互いに間があけられ、ビーハイブ構造を実現するメッシュ構造（２０）によって、及び前記メッシュ構造の中央領域に、やはりVとして形作られた更なる二次リブ（２１）によって連結された、一連の主V形リブ（１９）を有する金属シートを含み、一連の主V形リブ（１９）は、鉄筋（１２，１３）に向かって配置され、且つ1.5cm乃至3.0cmの高さ（h）を有する。このような種類の構造体は、工場で全体的に造られ、構内の位置に設置することができる。
2009510285.tif 000002
【特許請求の範囲】
【請求項１】
基礎、柱礎、及び一般建築要素を造るための使い捨て構造体であって、コンクリート（１６）を受け入れるための少なくとも一つの閉じ込め要素（１４）内に配置された鉄筋（１２，１３）が設けられ、
前記少なくとも一つの閉じ込め要素（１４）は、互いに間があけられ、ビーハイブ構造を実現するメッシュ構造（２０）によって、及び前記メッシュ構造の中央領域にやはりVとして形作られた更なる二次リブ（２１）によって連結された、一連の主V形リブ（１９）を有する金属シートを含み、
前記一連の主V形リブ（１９）は、前記鉄筋（１２，１３）に向かって配置され、且つ1.5cm乃至3.0cmの高さ（h）を有すること、
を特徴とする使い捨て構造体。
【請求項２】
主V形リブ（１９）と、二次V形リブ（２１）の両方は、前記閉じ込め要素（１４）の長手方向にパターンを有すること、
を特徴とする請求項１に記載の構造体。
【請求項３】
前記構造体は、工場で作ることができ、一旦完成すると、建設構内に配置されること、
を特徴とする請求項１に記載の構造体。
【請求項４】
前記主V形リブ（１９）は、その先端が前記鉄筋（１２，１３）に面して配置され、一方で、前記二次V形リブ（２１）は、その先端が前記建築要素の外側に面していること、
を特徴とする請求項１に記載の構造体。
【発明の詳細な説明】
【技術分野】
【０００１】
本発明は、基礎、柱礎、及び一般建築要素を造るための使い捨て構造体に関する。
【背景技術】
【０００２】
建築分野では、基礎、柱礎、及び一般構造要素をキャスティングによって造るために、鉄筋ロッド及びキャスティングを収容する、いわゆる型枠を使用する。そのような型枠は、所望形状を得るために配置され、特別なスペーサによって鉄筋から適当に隔てられて配置されなければならず、次いで、一旦、キャスティングが形枠内で固まったら、型枠を取り外さなければならない。
【０００３】
これらの作業は、型枠の構成材料のためのコスト、及び現場での型枠の組み立て及び取り外しに関するコストを伴う。事実、一旦、作られるべきキャスティングが確認されると、木製パネルの他に支柱、スペーサ、杭等の配置のための長い設置時間を伴って、通常は、木製パネルで、現場で鉄筋を構成することが必要である。キャスティングが完了して、固まったとき、種々の型枠構成部材を取り外すために、更なる遊び時間が使用される。その上、忘れてはならないのは、大変高価なパネルが破損、損傷を受け、パネルを、造られるキャスティングの大きさに適合させるために、時々現場で切断しなければならない。
【０００４】
例えば、亜鉛めっきシートのパネルとして形作られた要素を使用することが試みられたことに気づくべきであり、かかるパネルは、鉄筋の周りに固定され、且つキャスティング中パネルを強固にするための輪郭に砂利を配置することによってキャスティング位置に拘束される。このようなパネルも、適当な方法で鉄筋ロッドから隔てられ、次いで、所望の構造のキャスティング内に組み込まれたままでなければならない。
【０００５】
このようなタイプのパネルは、初期の砂利の構造配置、及びパネルの構造によって、作られるべきキャスト製品に適合されなければならず、かくして、使用中大変複雑になる。
【０００６】
従って、一般的には、全ての周知のシステムでは、整合、部品の不正確な位置決めの問題、及び完全なキャスティングを得るために要求されるその他のことの問題と共に、適用現場で型枠及び鉄筋を造ることの必要がある。
【発明の開示】
【発明が解決しようとする課題】
【０００７】
本発明の目的は、鉄筋ロッドと関連して適用が非常に容易であり、且つ非常に低い製造及び適用コストを有する、基礎、柱礎、及び一般建築要素を造るための使い捨て構造体を提供することにある。
【０００８】
本発明の他の目的は、鉄筋コンクリートキャスティングの建設に関する規定に従う、上で説明した種類の使い捨て構造体を提供することにある。
【０００９】
さらに本発明の他の目的は、現場で直接実現化の必要なく、構造の部分（型枠、鉄筋）の配置に関して完全に適合する、上で説明した種類の使い捨て構造体を提供することにある。
【課題を解決するための手段】
【００１０】
本発明によるこれらの目的は、請求項１に記載されたような基礎、柱礎、及び一般構造要素を造るための使い捨て構造体を提供することで達成される。
【００１１】
さらなる請求項は、本発明の追加の特徴を記載する。
【発明を実施するための最良の形態】
【００１２】
本発明による基礎、柱礎、及び一般建築要素を造るための使い捨て構造体の特徴及び利点は、添付の概略図を参照して、非限定の例によってなされた以下の説明から、より明らかになる。
【００１３】
図１及び２を参照して、本発明による基礎、柱礎、及び一般建築要素を造るための使い捨て構造体を使用することがどのように可能であるかを示す。
【００１４】
事実、図１は、参照番号１１で全体的に図示された、コンクリートを打設する前の柱礎を造るための使い捨て構造体の部分斜視図を示す。
【００１５】
この構造体１１は、例えば、（図示せず、且つそれ自体周知である）柱礎のベースに属する鉄筋ケージを形成するための、様々に曲げられ、且つ交差された一連の鉄筋ロッド１２，１３を含む。
【００１６】
鉄筋ロッド１２，１３は、参照番号１４で全体的に指示された、ロッド１２，１３に連結され、又はクリンプされる、少なくとも一つの閉じ込め要素によって取り囲まれ、且つ包囲される。
【００１７】
図２は、いかにして、一旦、コンクリートが柱礎１１のベースに打設されたら、前のものと同様の閉じ込め要素１４を、コンクリートから突出する突出ロッド（図示せず）に更に配置し、且つ同じ方法でロッドに連結するかを示す。図２は、コンクリート１６が、かくして実現された構造体に打設される、引き続くステップを示す。
【００１８】
柱の突出ロッド（図示せず）の端部分が、上に突出し、柱の中心には、柱１７のためのソケットが配置され、柱は、一旦、キャスティングが固まったら柱の引き抜きのための、ハンドル１８を備えている。
【００１９】
本発明によれば、図３及び図４により良く示された閉じ込め要素１４が、特別な機械で処理され、且つ連続製品に変形された金属シートによって得られる。
【００２０】
閉じ込め要素１４は、互いに間が開けられ、且つメッシュ構造２０によって連結された、一連の主V形リブ１９を有し、メッシュ構造は、ビーハイブ構造を実現する。このメッシュ構造２０では、構造体に対する最小の補剛を決定するための構造体の中央領域に、やはりVとして形作られ、大変な困難なく構造体の曲げを可能にし、且つ作られる形態への良好な適合性を可能にする二次リブ２１が更に設けられる。
【００２１】
主V形リブ１９と、やはりVとして形作られた二次リブ２１の両方は、閉じ込め要素１４に対して長手方向のパターンを有する。
【００２２】
主V形リブ１９は、鉄筋ロッドに面し、閉じ込め要素１４を鉄製ケージから十分な程度間隔をあけるように、1.5cm乃至3.0cmの高さｈを有する。この方法で、鉄筋コンクリート構造の中の鉄の配置に関する規定への、構造体の確実な適合が得られる。
【００２３】
図１及び２は、どのように、ロッドの閉じ込め要素１４が、一旦、コンクリートが打設されたら柱礎内に、又は一般的な基礎内に殆ど表面的に組み込まれたままであり、通常は、型枠部内を支持していた杭、支柱、その他の物の取り外しとともに、困難な型枠分解行為を要求しない。
【００２４】
ビーハイブ構造を有するメッシュ構造２０を備えた閉じ込め要素１４の形態は、コンクリートに完全に組み込むことができ、外面が殆ど仕上げられ、次の適用の準備が整っている。事実、互いに間があけられ、且つ連結された主V形リブ１９及び二次V形リブ２１の存在は、かくして得られた製品の確かな丈夫さ、及び直線性を確保することを気づくべきである。その上、主V形リブ１９は、その先端が鉄筋ロッドに面して配置され、これに対して二次V形リブ２１は、その先端が、キャスティング又は建築要素の外方に面して配置されることを繰り返す。
【００２５】
ボード等のような外部支持補強体の取扱いがないことは、キャスト構造体を製造するためのコストを相当に減少させる。
【００２６】
その上、本発明によって決定される他の大変重要な利点を強調しなければならない。
【００２７】
図１及び部分的に図２でわかるように、ビーハイブ構造を有するメッシュ構造２０、及び互いに間があけられ、且つ連結された主V形リブ１９及び二次V形リブ２１を備えた閉じ込め要素１４は、鉄筋及び型枠を直接工場で作り、次いで輸送されて現場設置されるようにする。
【００２８】
これは、全ての既存の周知の型枠構造体と比較して、作業及び技術的な観点から大きな利点である。
【００２９】
事実、一旦、造られるべき建築要素の種類が知られると、一旦、鉄筋ロッドの寸法及び配列、並びに建築要素の全体の最終寸法を受けたら、内側補強と、閉じ込め要素１４の配置の両方を、キャスティングに備えて工場で作ることが可能である。
【００３０】
次いで、このような複合構造体は、所望位置に配置され、要求されるならば、ロッドの間の整合、閉じ込め構造体、さらなる固定要素を必要とすることなく、コンクリートを受け入れるように、既に組み立てられて使用現場に輸送される。
【００３１】
基礎、柱礎、及び一般建築要素を作るための使い捨て構造体に、全ては本発明内にあると考えられる幾つかの変更及び修正を行うことができ、さらには、全ての細部を、技術的に均等な要素と置き換えることができる。実際には、使用される材料並びに大きさは、技術的要求に従って何でもよい。
【図面の簡単な説明】
【００３２】
【図１】コンクリートを打設する前の、柱礎を作るための使い捨て構造体の部分斜視図を示す。
【図２】コンクリートが打設され、柱のための座を作る中心ソケット形要素を引き抜かなければならない、使い捨て構造体の例のさらなる部分斜視図を示す。
【図３】図１及び図２の例で使用された使い捨て構造体の部分拡大正面図を示す。
【図４】図１及び図２のようなキャスティングに適合されたときの、図３の構造体の部分拡大図を示す。
【図１】
2009510285.tif 000003
【図２】
2009510285.tif 000004
【図３】
2009510285.tif 000005
【図４】
2009510285.tif 000006
【国際調査報告】
2009510285.tif 000007
2009510285.tif 000008